(57)【要約】【課題】抽選に対する親近の度合いを高め、抽選に対する期待度を高める。また、金融機関の利用を促進させる。【解決手段】利用者の口座に記録されている残高に含まれる数字を用いて抽選番号を形成し、この抽選番号と当選番号とを比較して当否判定を行うものである。抽選番号の形成に使用する数は利用者が固有に持つ口座残高であるため、利用者毎に固有の抽選番号を設定することができ、抽選に適した番号を得ることができる。利用者の口座を管理する管理手段から、記録されている預金残高及び／又は借入残高の残高データを読み出す工程と、読み出した預金残高及び／又は借入残高の残高データに含まれる数字を用いて抽選番号を形成する工程と、当選番号を抽選する工程と、抽選番号と当選番号とを比較する工程と、比較により抽選番号の当否判定を行う工程を備える。【選択図】  図１
2004220467.tif 000002
【特許請求の範囲】
【請求項１】
利用者の口座を管理する管理手段から、記録されている預金残高及び／又は借入残高の残高データを読み出す工程と、
読み出した前記預金残高及び／又は借入残高の残高データに含まれる数字を用いて抽選番号を形成する工程と、
当選番号を抽選する工程と、
前記抽選番号と当選番号とを比較する工程と、
前記比較により抽選番号の当否判定を行う工程を備えることを特徴とする、抽選方法。
【請求項２】
前記当選番号の抽選工程において、予め設定した桁数の数を抽選して当選番号とし、
前記抽選番号の形成工程において、預金残高及び／又は借入残高の残高データから当選番号を構成する数字の個数と同じ個数からなる１つの番号又は一連の番号を抽出し、抽出した番号を抽選番号とし、
前記比較工程において、抽選番号と当選番号に含まれる数字及び配列とに基づいて当否判定を行うことを特徴とする、請求項１に記載の抽選方法。
【請求項３】
前記当選番号の抽選工程において、予め設定した桁数の数を複数抽選して当選番号群とし、
前記抽選番号の形成工程において、預金残高及び／又は借入残高の残高データから当選番号を構成する数字の個数と同じ個数からなる１つの番号又は一連の番号を抽出し、抽出した１つの番号又は一連の番号の複数の組合せを抽選番号群とし、
前記比較工程において、抽選番号群と当選番号群に含まれる数字とに基づいて当否判定を行うことを特徴とする、請求項１に記載の抽選方法。
【請求項４】
前記抽選番号の形成工程より前に、預金及び／又は返済により預金残高及び／又は借入残高の残高データを変更し、変更した残高データに基づいて抽選番号を形成することを特徴とする、請求項１乃至３の何れかに記載の抽選方法。
【請求項５】
利用者の口座を管理する管理手段から、記録されている預金残高及び／又は借入残高の残高データを読み出す工程と、
読み出した前記預金残高及び／又は借入残高の残高データに含まれる数字を用いて抽選番号を形成する工程と、
当選番号を抽選する工程と、
前記抽選番号と当選番号とを比較する工程と、
前記比較により抽選番号の当否判定を行う工程と、
前記預金残高及び／又は借入残高に基づいた額の当選金額を設定する工程と、前記当否判定により当選した口座の預金残高に当選金額を加算し記録する工程とを備えることを特徴とする、口座管理方法。
【請求項６】
前記当選金額は、預金残高及び／又は借入残高に所定の比率を乗じた値を設定することを特徴とする、請求項５に記載の口座管理方法。
【請求項７】
前記当選金額は、預金残高及び／又は借入残高に応じて段階的に傾斜させた当選金額を設定することを特徴とする、請求項５に記載の口座管理方法。
【請求項８】
前記当選番号の抽選工程において、予め設定した桁数の数を抽選して当選番号とし、
前記抽選番号の形成工程において、預金残高及び／又は借入残高の残高データから当選番号を構成する数字の個数と同じ個数からなる１つの番号又は一連の番号を抽出し、抽出した番号を抽選番号とし、
前記比較工程において、抽選番号と当選番号に含まれる数字及び配列とに基づいて当否判定を行うことを特徴とする、請求項５乃至７の何れかに記載の口座管理方法。
【請求項９】
前記当選番号の抽選工程において、予め設定した桁数の数を複数抽選して当選番号群とし、
前記抽選番号の形成工程において、預金残高及び／又は借入残高の残高データから当選番号を構成する数字の個数と同じ個数からなる１つの番号又は一連の番号を抽出し、抽出した１つの番号又は一連の番号の複数の組合せを抽選番号群とし、
前記比較工程において、抽選番号群と当選番号群に含まれる数字とに基づいて当否判定を行うことを特徴とする、請求項５乃至７の何れかに記載の口座管理方法。
【請求項１０】
前記抽選番号の形成工程より前に、預金及び／又は返済により預金残高及び／又は借入残高の残高データを変更し、変更した残高データに基づいて抽選番号を形成することを特徴とする、請求項５乃至９の何れかに記載の口座管理方法。
【請求項１１】
ネットワークを介して接続される、利用者の口座を管理する管理手段と端末とを備える口座管理システムであって、
前記管理手段は、預金残高及び／又は借入残高の残高データを記録し、当該預金残高及び／又は借入残高の残高データに含まれる数字を用いて抽選番号を形成し、抽選番号と当選番号とを比較して抽選番号の当否判定を行い、預金残高及び／又は借入残高に基づいた額の当選金額を設定し、前記当否判定により当選した口座の預金残高に当選金額を加算し記録し、当選番号、当否結果、及び当選金額を前記端末に送ることを特徴とする、口座管理システム。
【請求項１２】
前記端末は、パーソナルコンピュータ、携帯端末、金融機関が管理する預金機又は記帳機の少なくとも何れかであることを特徴とする、請求項１１に記載の口座管理システム。
【請求項１３】
前記当選番号の抽選は、前記端末からの指令に基づき各口座毎に行うことを特徴とする、請求項１１又は１２に記載の口座管理システム。
【請求項１４】
前記当選番号の抽選は、所定期間毎に全口座に対して共通して行うことを特徴とする、請求項１１又は１２に記載の口座管理システム。
【発明の詳細な説明】
【０００１】
【発明の属する技術分野】
本発明は、抽選方法に関し、特に金融機関の利用者に対して特典を付与する抽選方法に関し、また、この抽選及び特典を管理する口座管理方法、口座管理システムに関する。
【０００２】
【従来の技術】
従来、金融機関の利用者に対するサービスとして、金利の優遇処理や、一部手数料の優遇処置など種々の特典を付与することが提案されている。
【０００３】
このような特典付与の一方法として、預金額や投資信託の購入価格等に応じて宝くじを付与することにより金融商品の購入の促進を図るサービスが、例えば特許文献１に提案されている。
【０００４】
また、利用者に特典を付与する他の例として、利用者による取引内容に応じて設定されたサービス度数を記憶し、このサービス度数に応じて抽選番号を記憶し、この記憶した抽選番号を当選番号とを比較して当選金を預金残高に加算することにより顧客サービスを行う自動取引装置が特許文献２に提案されている。
【０００５】
【特許文献１】
特開２００２−１４９９７２
【特許文献２】
特開平８−２４９３９６
【０００６】
【発明が解決しようとする課題】
前記した預金額や投資信託の購入価格等に応じて宝くじを付与するサービスでは、利用者が金融機関に預けた額に応じて設定された枚数の宝くじが付与されるため、抽選番号は付与された宝くじに依存するため、利用者が金融機関に預け入れた額との関連性が薄いため、抽選に対する期待度が低く、また、宝くじが付与されてから抽選結果が分かるまで期間があり、抽選結果を別途確かめる必要があるという問題がある。
【０００７】
また、前記した取引内容に応じたサービス度数に基づいて抽選番号を定め、この抽選選号により抽選を行うサービスでは、サービス度数が設定された取引を行わない場合には、抽選に参加することができず、金融機関に預け入れた額が抽選に反映されないという問題がある。
【０００８】
したがって、従来提案されているサービスでは、利用者が金融機関に預け入れている額が抽選に反映されず、抽選に対する期待度が低いため、金融機関の利用者による利用を促進させる効果の点で問題がある。
【０００９】
そこで、本発明は、前記した課題を解決して、抽選に対する親近の度合いを高めて、抽選に対する期待度を高めることを目的とし、金融機関の利用を促進させることを目的とする。
【００１０】
【課題を解決するための手段】
本発明は、利用者の口座に記録されている残高に含まれる数字を用いて抽選番号を形成し、この抽選番号と当選番号とを比較して当否判定を行うものであり、利用者の各自の残高という身近な数を用いて抽選を行うことで抽選に対する親近の度合いを高めて、抽選に対する期待度を高める。
【００１１】
抽選番号の形成に使用する数は利用者が固有に持つ口座残高であるため、利用者毎に固有の抽選番号を設定することができ、抽選に適した番号を得ることができる。
【００１２】
本発明は、抽選方法、口座管理方法、及び口座管理システムの各態様とすることができるほか、この各方法を実施するためのプログラムを記録した記録媒体とすることもできる。
【００１３】
本発明の抽選方法の態様は、利用者の口座を管理する管理手段から、記録されている預金残高及び／又は借入残高の残高データを読み出す工程と、読み出した預金残高及び／又は借入残高の残高データに含まれる数字を用いて抽選番号を形成する工程と、当選番号を抽選する工程と、抽選番号と当選番号とを比較する工程と、比較により抽選番号の当否判定を行う工程を備える。
【００１４】
抽選の当否判定は、各利用者の抽選番号と当選番号との比較により行う。この番号比較において、数字とその配列の両方により当選を判定する形態のほか、配列は問わず数のみにより当選を判定する形態としてもよい。
【００１５】
数字とその配列の両方により当選を判定する形態では、当選番号の抽選工程において、予め設定した桁数の数を抽選して当選番号とし、抽選番号の形成工程において、預金残高及び／又は借入残高の残高データから当選番号を構成する数字の個数と同じ個数からなる１つの番号又は一連の番号を抽出し、抽出した番号を抽選番号とし、比較工程において、抽選番号と当選番号に含まれる数字及び配列とに基づいて当否判定を行う。
【００１６】
また、配列は問わず数のみにより当選を判定する形態では、当選番号の抽選工程において、予め設定した桁数の数を複数抽選して当選番号群とし、抽選番号の形成工程において、預金残高及び／又は借入残高の残高データから当選番号を構成する数字の個数と同じ個数からなる１つの番号又は一連の番号を抽出し、抽出した１つの番号又は一連の番号の複数の組合せを抽選番号群とし、比較工程において、抽選番号群と当選番号群に含まれる数字とに基づいて当否判定を行う。
【００１７】
また、抽選前の段階において、利用者が抽選番号を調整してもよい。この番号には、抽選番号の形成工程より前に、預金及び／又は返済により預金残高及び／又は借入残高の残高データを変更し、変更した残高データに基づいて抽選番号を形成する。
【００１８】
本発明の口座管理方法の態様は、本発明の抽選方法による抽選結果に基づいて、各利用者の口座を管理する態様であり、利用者の口座を管理する管理手段から、記録されている預金残高及び／又は借入残高の残高データを読み出す工程と、読み出した前記預金残高及び／又は借入残高の残高データに含まれる数字を用いて抽選番号を形成する工程と、当選番号を抽選する工程と、抽選番号と当選番号とを比較する工程と、比較により抽選番号の当否判定を行う工程と、預金残高及び／又は借入残高に基づいた額の当選金額を設定する工程と、当否判定により当選した口座の預金残高に当選金額を加算し記録する工程を備える。
【００１９】
当選金額の第１の設定形態は、預金残高や借入残高に所定の比率を乗じた値を当選金額として設定する。この設定形態によれば、預金残高や借入残高に応じて当選金額を変更することができる。また、所定の比率は預金残高や借入残高によらず一定とすることも、あるいは、預金残高や借入残高に応じて変えることもできる。
【００２０】
当選金額の第２の設定形態は、預金残高や借入残高に応じて段階的に傾斜させた当選金額を設定する。この設定形態によれば、預金残高や借入残高に応じて当選金額を変更することができる。
【００２１】
本発明の口座管理方法においても、抽選の当否判定と同様に、各利用者の抽選番号と当選番号との番号比較において、数字とその配列の両方により当選を判定する形態のほか、配列は問わず数字のみにより当選を判定する形態としてもよい。
【００２２】
数字とその配列の両方により当選を判定する形態では、当選番号の抽選工程において、予め設定した桁数の数を抽選して当選番号とし、抽選番号の形成工程において、預金残高及び／又は借入残高の残高データから当選番号を構成する数字の個数と同じ個数からなる１つの番号又は一連の番号を抽出し、抽出した番号を抽選番号とし、比較工程において、抽選番号と当選番号に含まれる数字及び配列とに基づいて当否判定を行う。
【００２３】
また、配列は問わず数字のみのにより当選を判定する形態では、当選番号の抽選工程において、予め設定した桁数の数を複数抽選して当選番号群とし、抽選番号の形成工程において、預金残高及び／又は借入残高の残高データから当選番号を構成する数字の個数と同じ個数からなる１つの番号又は一連の番号を抽出し、抽出した１つの番号又は一連の番号の複数の組合せを抽選番号群とし、比較工程において、抽選番号群と当選番号群に含まれる数字とに基づいて当否判定を行う。
【００２４】
また、抽選番号は利用者により調整するようにしてもよい。この場合には、抽選番号の抽選番号の形成工程より前に、預金及び／又は返済により預金残高及び／又は借入残高の残高データを変更し、変更した残高データに基づいて抽選番号を形成する。
【００２５】
本発明の口座管理システムの態様は、ネットワークを介して接続される、利用者の口座を管理する管理手段と端末とを備える口座管理システムであって、管理手段は、預金残高及び／又は借入残高の残高データを記録し、この預金残高及び／又は借入残高の残高データに含まれる数字を用いて抽選番号を形成し、抽選番号と当選番号とを比較して抽選番号の当否判定を行い、預金残高及び／又は借入残高に基づいた額の当選金額を設定し、当否判定により当選した口座の預金残高に当選金額を加算し記録し、当選番号、当否結果、及び当選金額を端末に送る構成とする。
【００２６】
この口座管理システムにおいて、端末は、パーソナルコンピュータ、携帯端末、金融機関が管理する預金機又は記帳機の少なくとも何れかとすることができる。携帯端末は携帯電話やモバイル機器とすることができる。預金機や記帳機を用いる場合には、預金通帳に当選金額を加算した残高を記帳することができる。
【００２７】
当選番号の抽選は、端末からの指令に基づき各口座毎に行うことも、あるいは、例えば、年毎や月毎など所定期間毎に全口座に対して共通して行うこともできる。
【００２８】
【発明の実施の形態】
以下、本発明の実施の形態について、図を用いて詳細に説明する。
図１，２は本発明の抽選方法、口座管理方法の概略を説明するための図である。
図１（ａ），（ｂ）において、当選判定に用いる抽選番号を各利用者の口座に記録される預金残高を用いて形成する。以下、当選判定を、当選番号と抽選番号の数値と数字の配列を比較することにより行う例について説明する。なお、他の当選判定例は、図７を用いて後述する。
【００２９】
図１（ａ）において、当選番号は、予め抽選を行って設定しておく。当選番号は任意の桁数とすることができるが、ここでは、一例として４桁のＡＢＣＤとする。
一方、抽選番号は、各利用者の口座で管理される預金残高に基づいて設定する。例えば、預金残高がＡ，ＢＣＤ，ＥＦＧであるとき、ＡＢＣＤＥＦＧの数値から、当選番号を構成する数の個数と同数の１つ又は一連の番号の群（ＡＢＣＤ、ＢＣＤＥ、ＣＤＥＦ、ＤＥＦＧ）を抽出し抽選番号として設定する。なお、Ａ〜Ｇは０〜９の中の何れか１つの数字である。また、預金残高は、円建てで行う他に、ドル建てやユーロ建てなど口座管理で取り扱う所定の貨幣単位のものを用いることができる。
【００３０】
当否判定は、当選番号ＡＢＣＤと抽選番号の群（ＡＢＣＤ、ＢＣＤＥ、ＣＤＥＦ、ＤＥＦＧ）とを比較し、数字及び配列の一致・不一致を判定する。
当選番号ＡＢＣＤと抽選番号の群とを比較し、抽選番号の群中の何れかの抽選番号が当選番号と一致した場合には当選と判定する。当選と判定した場合には、当選金額（ここではαとする）を預金残高に応じて設定し、預金残高Ａ，ＢＣＤ，ＥＦＧに当選金額αを加算し、得られた預金残高Ａ，ＢＣＨ，ＩＪＫを口座に記録する。
【００３１】
また、図１（ｂ）は、抽選番号の形成前に、預金することより預金残高を変更する例を示している。この例によれば、利用者は希望する番号を抽選番号として設定することができる。
例えば、預金残高がａ，ｂｃｄ，ｅｆｇであるとき、預金金額βを預金することにより、預金残高ａ，ｂｃｄ，ｅｆｇに預金金額βを加算し、預金残高をＡ，ＢＣＤ，ＥＦＧとする。
【００３２】
この後の、当選番号の設定、抽選番号の抽出、当否判定、及び預金残高の更新は、図１（ａ）と同様とすることができる。
本発明の抽選番号の形成は、図１（ａ）に示したように、各利用者の口座に記録される預金残高の他に、各利用者の借入残高を用いることもできる。図２は、各利用者の借入残高を用いる例を示している。
【００３３】
図２において、当選番号（一例として４桁のＡＢＣＤ）は、予め抽選を行って設定しておく。当選番号は前記と同様に任意の桁数とすることができる。
一方、抽選番号は、各利用者が設定した各種ローンにより借入した借入金の借入残高に基づいて設定する。例えば、現在残っている借入残高がＡ，ＢＣＤ，ＥＦＧであるとき、ＡＢＣＤＥＦＧの数値から、当選番号を構成する数字の個数と同じ個数からなる１つの番号又は一連の番号の群（ＡＢＣＤ，ＢＣＤＥ，ＣＤＥＦ，ＤＥＦＧ）を抽出し抽選番号として設定する。なお、Ａ〜Ｇは０〜９の中の何れか１つの数字である。また、預金残高は、円建てで行う他に、ドル建てやユーロ建てなど口座管理で取り扱う所定の貨幣単位のものを用いることができる。
【００３４】
当否判定は、当選番号ＡＢＣＤと抽選番号の群（ＡＢＣＤ，ＢＣＤＥ，ＣＤＥＦ，ＤＥＦＧ）とを比較し、数字及び配列の一致・不一致を判定する。当選と判定した場合には、当選金額（ここではγとする）を借入残高に応じて設定し、借入残高Ａ，ＢＣＤ，ＥＦＧから当選金額γを減算し、得られた借入残高Ａ，ＢＣＨ，ＩＪＫを記録する。
なお、当選金額γは、借入残高を減額に用いる他、利用者の口座の預金残高に加算してもよい。
【００３５】
図３は、本発明の口座管理システムを説明するための概略ブロック図である。図３において、口座管理システムは、ネットワーク５を介して、管理サーバー１、データベース２、金融機関ホストシステム３、金融機関サービスサーバー４等の各サーバーや、処理端末１０、利用者端末１１、携帯端末１２等の各端末が接続され、管理サーバー１により各利用者の口座が管理されると共に抽選処理が行われ、当選した場合には口座の預金残高の更新が行われる。
【００３６】
管理サーバー１は利用者の口座管理を行うサーバーであり、データベース２との間でデータの授受を行うことにより、残高照会、入出金明細照会、振込／振替サービス、定期預金の作成や住所変更等の処理、及び抽選処理を行う。データベース２は、顧客情報、口座情報、振込データ等が記録され、金融機関ホストシステム３からデータ交換を受けてデータの更新が行われる。
【００３７】
金融機関サービスサーバー４は、ネットバンキングやモバイルバンキング等のサービスを行う。この金融機関に口座を有する利用者は、利用者端末１１、携帯端末１２等の各端末からインターネットを介してＵＲＬを指定して対象のファイルに接続してホームページを表示し、各種サービスを利用することができる。なお、利用者端末１１（１１Ａ〜１１Ｍ）は各利用者が有するパーソナルコンピュータであり、携帯端末１２（１２Ａ〜１２Ｎ）は携帯電話やモバイル機器とすることができる。
【００３８】
また、処理端末１０（１０Ａ〜１０Ｌ）は専用回線やネットワークを介して金融機関ホストシステム３と接続される。処理端末１０は、金融機関やコンビニエンスストアの店舗に設置され、ＡＴＭ６や記帳機７の機器とすることができる。ＡＴＭ６では預金通帳８や金融機関のカード９を用いて、入出金サービス、振込／振替サービス等の処理を行う他、金融機関ホストシステム３とリンクした管理サーバー１から残高照会、入出金明細照会等の照会処理を行う。また、記帳機７では残高照会、入出金明細照会等の照会処理を行い、預金通帳８に記帳を行う。
【００３９】
管理サーバー１は、データベース２から各利用者の口座の預金残高や借入残高の残高データを読み出し、この残高データを用いて抽選番号を形成し、別の形成した当選番号と比較して当否判定を行って抽選処理を行う。当否判定により当選した場合には当選金額を設定し、該当する口座に預金残高に当選金額を加算して預金残高を精算する処理や、借入残高から当選金額を差し引く処理を行い、データベースの口座データを更新する。
【００４０】
処理端末１０（１０Ａ〜１０Ｌ）は、金融機関ホストシステム３を介してあるいは直接に管理サーバー１から抽選結果のデータを読み込んで表示することができる。また、利用者端末１１（１１Ａ〜１１Ｍ）や携帯端末１２（１２Ａ〜１２Ｎ）は、金融機関サービスサーバー４を介して管理サーバー１から抽選結果のデータを読み込んで表示することができる。
【００４１】
次に、抽選処理について説明する。抽選処理は、利用者毎に当選番号を設定する態様、あるいは全利用者について一つの当選番号を設定する態様とすることができ、また、各態様において、預金通帳やカードを用いて処理端末で行う態様、及び利用者端末で行う態様で行うことができる。以下、各態様について説明する。
【００４２】
はじめに、利用者毎に当選番号を設定し、利用者毎に抽選を行う態様について、図４〜図１０を用いて説明する。この利用者毎に当選番号の設定及び抽選を行う態様において、預金通帳やカードを用いて処理端末で行う態様を図４〜図８を用いて説明し、利用者端末で行う態様を図９，１０を用いて説明する。
【００４３】
図４は利用者毎に当選番号を設定し、利用者毎に抽選を行う態様の第１例であり、処理端末と管理サーバー及び金融機関ホストシステムとの間のデータの流れを説明する状態図である。なお、ここでは、預金通帳を用いた処理について説明し、カードについては省略する。以下の（  ）中に示す番号は、図４中の番号と対応している。
【００４４】
金融機関ホストシステムは、顧客情報、口座情報、振込データ等の各種金融処理で生じたデータを、例えば日単位で管理サーバーとの間でデータ交換を行い（１）、データベースのデータを更新する（２）。
【００４５】
利用者が、ＡＴＭや記帳機が備える処理端末１０において、預金通帳８（金融カード９）を挿入し（３）、パスワード等を入力すると（４）、管理サーバー１はこのパスワードや預金通帳に設定された固有コードを照合する（５）。照合により口座が確認されると、データベース２に記録される利用者の口座から預金残高を読み出す。図５は、データベース２に記録される口座データの一例である。口座データには、例えば、顧客コード，氏名，電話番号やメールアドレス，預金残高、借入残高等のデータが記録される（７）。
【００４６】
図６は表示画面の表示例である。処理端末１０の表示画面にはサービスメニューが表示されている。図６（ａ）はサービスメニューの一例であり、例えば、預金残高照会，借入残高照会、引出、預金等の各サービスが、選択可能に表示される。このサービスメニューから残高照会が選択されて要求が出された場合には（６）、管理サーバー１は、読み出した残高預金残高のデータを処理端末１０に送信する（８）。
【００４７】
処理端末１０は、預金残高のデータを受信し、表示手段に表示する（９）。ここで、表示手段の画面上には、預金残高を表示すると共に抽選の案内を表示する。抽選案内は、預金残高に含まれる番号に基づいて抽選が行われ、当選金額は預金残高に加算される等の抽選内容が表示される。
【００４８】
図６（ｂ）は預金残高照会画面の一例である。画面上には、現在の預金残高の金額と、この預金残高で抽選を行うかの表示と、抽選処理あるいは預金処理を要求するボタン表示が表示される。
利用者は、この抽選案内を参照してこの時点で抽選を行うかを判断し、抽選を行う場合には抽選要求を管理サーバー１に送る（１０）。
【００４９】
管理サーバー１は、この抽選要求を受けて抽選処理を行う（１１）。抽選処理では、抽選により当選番号を求めると共に、預金残高に基づいて各利用者毎の抽選番号を求める（１２）。求めた当選番号と抽選番号とを比較して、利用者の抽選番号が当選番号と一致しているかを照合し（１３）、当否判定を行う（１４）。判定結果を処理端末１０に送信し（１５）、当選している場合には、当選金額を預金残高の加算し、データベースの各口座の預金残高を更新する（１６）。
【００５０】
処理端末１０では、判定結果を受信して表示手段に表示する。図６（ｃ），（ｄ）は判定結果の表示例であり、図６（ｃ）は当選した場合の表示例であり、図６（ｄ）は落選した場合の表示例である。当選した場合には、当選の表示と共に、当選金額と更新された預金残高が表示される。また、落選した場合には、落選の表示と共に、現在の預金残高が表示される（１７）。
【００５１】
ＡＴＭ６や記帳機６に預金通帳８が挿入されている場合には、更新された預金残高を預金通帳に記帳する（１８）。なお、ＡＴＭ６や記帳機６に金融カード９が挿入されている場合には、更新された預金残高を表示及び／又はプリントアウトする。
【００５２】
図７を用いて、預金残高を用いた抽選番号の形成処理及び当否判定について説明する。  抽選番号の形成、及び当否判定は種々の形態とすることができる。以下では、一例として３つの形態を説明する。
【００５３】
図７（ａ）は第１の形態であり、預金残高に含まれる数から、当選番号の桁数と同桁数の連続する番号の群を形成し、これらを抽選番号として設定する。当否判定は、この群に含まれる抽選番号と当選番号とを比較し、数字とその配列が一致したとき当選と判定する。
【００５４】
例えば、預金残高をＡ，ＢＣＤ，ＥＦＧとし（Ａ〜Ｇは０〜９の任意の数字である）、当選番号の桁数を４桁としたとき、抽選番号はこの預金残高に含まれる数（ＡＢＣＤＥＦＧ）から当選番号を構成する数字の個数と同じ個数からなる１つの番号又は一連の番号を抽出することにより形成することができる。この例では、抽選番号として、ＡＢＣＤ，ＢＣＤＥ，ＣＤＥＦ，ＤＥＦＧの４つが抽出される。
【００５５】
ここで、例えば当選番号をＡＢＣＤとしたとき、抽選番号の群（ＡＢＣＤ，ＢＣＤＥ，ＣＤＥＦ，ＤＥＦＧ）の中の抽選番号と当選番号を比較し、数字とその配列の一致を判定する。
この場合には、抽選番号ＡＢＣＤが当選番号ＡＢＣＤと一致しているため、当選判定が行われる。なお、当選番号の桁数は４桁に限らず、当選数に応じて任意に設定することができる。
【００５６】
図７（ｂ）は第２の形態であり、預金残高に含まれる数を抽選番号として設定する。当否判定は、この抽選番号と当選番号とを比較し、数字が一致したとき当選と判定する。
例えば、預金残高をＡ，ＢＣＤ，ＥＦＧとすると（Ａ〜Ｇは０〜９の任意の数字である）、抽選番号はこの預金残高に含まれる数字Ａ，Ｂ，Ｃ，Ｄ，Ｅ，Ｆ，Ｇが抽出される。
【００５７】
ここで、例えば当選番号の数字の組が、Ａ，Ｃ，Ｅとしたとき、抽選番号の数Ａ，Ｂ，Ｃ，Ｄ，Ｅ，Ｆ，Ｇと当選番号Ａ，Ｃ，Ｅとを比較し、当選番号の数字の一致を判定する。この場合には、抽選番号Ａ，Ｂ，Ｃ，Ｄ，Ｅ，Ｆ，Ｇ中に当選番号の数Ａ，Ｃ，Ｅが全て含まれているため、当選判定が行われる。
また、当選番号の数字の組が、Ａ，Ｃ，Ｈとしたときには、抽選番号Ａ，Ｂ，Ｃ，Ｄ，Ｅ，Ｆ，Ｇ中に当選番号の数字Ａ，Ｃ，Ｈの内、数字Ａ，Ｃは含まれているが、数字Ｈは含まれていないため、落選判定が行われる。
【００５８】
図７（ｃ）は第３の形態であり、預金残高に含まれる数から、当選番号の桁数と同桁数の連続する番号を複数組形成し、これらの複数組を抽選番号として設定する。当否判定は、この複数組の抽選番号と複数組の当選番号とを比較し、全組が一致したとき当選と判定する。
例えば、預金残高をＡ，ＢＣＤ，ＥＦＧとし（Ａ〜Ｇは０〜９の任意の数字である）、当選番号の組を２桁の２数としたとき、抽選番号はこの預金残高に含まれる数（ＡＢＣＤＥＦＧ）から２桁の数を抽出することにより形成することができる。この例では、抽選番号として、ＡＢ，ＢＣ，ＣＤ，ＤＥ，ＥＦ，ＦＧの５つの数字の組が抽出される。
【００５９】
ここで、例えば当選番号をＡＢ，ＥＦとしたとき、抽選番号の組（ＡＢ，ＢＣ，ＣＤ，ＤＥ，ＥＦ，ＦＧ）の中の抽選番号と当選番号を比較し、数字の一致を判定する。
この場合には、抽選番号の組ＡＢ，ＥＦが当選番号ＡＢ，ＥＦと一致しているため、当選判定が行われる。なお、当選番号の桁数、及び個数は当選数に応じて任意に設定することができる。
【００６０】
図８は利用者毎に当選番号を設定し、利用者毎に抽選を行う態様の第２例であり、処理端末と管理サーバー及び金融機関ホストシステムとの間のデータの流れを説明する状態図である。
第２の例は、抽選処理の前の段階で、利用者が預金を行うことにより預金残高を変更して抽選番号を所望の番号とするものであり、利用者が希望する抽選番号の設定を可能とするものである。
【００６１】
なお、図８に示す状態は、前記した図４の状態図の内、預金残高の変更処理を除く部分とほぼ共通しているため、以下では預金残高の変更処理について説明、共通する部分の説明は処理する。以下の（  ）中に示す番号は、図８中の番号と対応している。
図８の（２１）〜（２９）は図４中の１〜９と同様の処理であり、処理端末に預金残高が表示される。
【００６２】
利用者は、処理端末の表示部に表示されり預金残高や抽選内容を参照し、抽選番号を変更する場合には、預金ボタンを押下してＡＴＭ装置６に預金金額を投入して預金処理を行う（３０）。処理端末１０は、預金処理に基づいて預金金額のデータを管理サーバーに１を送信する（３１）。
【００６３】
管理サーバー１は、預金金額のデータを受信して預金処理を行い（３２）、データベース２の口座データを更新する（３３）。更新した残高残高のデータは、処理端末１０に送信される（３４）。図８の（３４）〜（４４）は図４中の８〜１８と同様の処理であり、抽選処理及び判定結果に基づく預金残高の更新が行われる。
この第２の例によれば、利用者は預金処理を行うことにより預金残高を変更して、抽選番号を所望の番号に設定することができる。
【００６４】
次に、利用者毎に当選番号を設定し、利用者毎に抽選を行う態様の第３例を図９を用いて説明する。第３の例は利用者端末側において預金残高及び抽選結果の確認を行う例である。図９は、利用者端末と金融機関サービスサーバー、管理サーバー及び金融機関ホストシステムとの間のデータの流れを説明する状態図である。
以下の（  ）中に示す番号は、図９中の番号と対応している。
【００６５】
金融機関ホストシステム３は、顧客情報、口座情報、振込データ等の各種金融処理で生じたデータを、例えば日単位で管理サーバーとの間でデータ交換を行い（５１）、データベース２のデータを更新する（５２）。
利用者が利用者端末１１（あるいは携帯端末１２）から金融機関サービスサーバー４のホームページに接続すると（５３）、金融機関サービスサーバー４は利用者端末１１にホームページの画面を送信し（５４）、画面上にホームページの画面を表示する（５５）。パスワード等を入力すると（５６）、金融機関サービスサーバー４は、このパスワードを管理サーバー１に転送する（５７）。
【００６６】
管理サーバー１はこのパスワードや口座番号等の固有コードを照合する（５８）。照合により口座が確認されると、金融機関サービスサーバー４は、この照合に基づいて利用者端末１１（あるいは携帯端末１２）に各種サービスのメニューを表示させる（５９）。
【００６７】
利用者が、利用者端末１１（あるいは携帯端末１２）から残高照会を選択し要求すると（６０）、金融機関サービスサーバー４はこの要求を管理サーバー１に転送する（６１）。管理サーバー４はこの残高照会要求を受けて、データベース２に記録される利用者の口座から預金残高を読み出し（６２）、読み出した残高預金残高のデータを金融機関サービスサーバー４を介して利用者端末１１（あるいは携帯端末１２）に送信する（６３，６４）。
【００６８】
利用者端末１１（あるいは携帯端末１２）は、預金残高のデータを受信し、表示手段に表示する（６５）。ここで、表示手段の画面上には、預金残高を表示すると共に抽選の案内を表示する。抽選案内は、預金残高に含まれる番号に基づいて抽選が行われ、当選金額は預金残高に加算される等の抽選内容が表示される。画面上には、現在の預金残高の金額と、この預金残高で抽選を行うかの表示と、抽選処理あるいは預金処理を要求するボタン表示が表示される。
利用者は、この抽選案内を参照してこの時点で抽選を行うかを判断し、抽選を行う場合には抽選要求を管理サーバー１に送る（６６）。
【００６９】
金融機関サービスサーバー４は、この抽選要求を管理サーバー１に転送する（６７）。管理サーバー１は、この抽選要求を受けて抽選処理を行う（６８）。抽選処理では、抽選により当選番号を求めると共に、預金残高に基づいて各利用者毎の抽選番号を求める（６９）。求めた当選番号と抽選番号とを比較して、利用者の抽選番号が当選番号と一致しているかを照合し（７０）、当否判定を行う（７１）。管理サーバー１は、判定結果及び預金残高を金融機関サービスサーバー４を介して利用者端末１１（携帯端末１２）に送信し（７２，７４）、当選している場合には、当選金額を預金残高の加算し、データベースの各口座の預金残高を更新する（７３）。
【００７０】
利用者端末１１（携帯端末１２）では、判定結果を受信して表示手段に表示する（７５）。当選した場合には、当選の表示と共に、当選金額と更新された預金残高が表示される。また、落選した場合には、落選の表示と共に、現在の預金残高が表示される（７６）。
【００７１】
第３の例において、管理サーバーが行う処理について図１０のフローチャートを用いて説明する。なお、このフローチャートの処理は、各利用者毎の処理を示している。また、（ステップＳ）で示す番号は、フローチャート中に示す番号と対応している。
各利用者の利用者端末あるいは携帯端末からのアクセス要求に基づいて接続した後、その利用者について既に抽選を行っているか否かを判定する。この判定は、例えば、データベースに抽選に関するデータ（例えば、フラグ情報）を付しておき、このデータを参照することで確認することができる（ステップＳ１）。
【００７２】
利用者が未抽選であることを確認した後、利用者から抽選要求が出されているかを確認する（ステップＳ２）。利用者から抽選要求が出されている番号には、当選番号を設定する抽選を行う。当選番号の抽選は、例えば、乱数を用いるなど任意の方法を用いることができる（ステップＳ３）。抽選により設定した当選番号は、記録手段に記録する。この当選番号は、各利用者毎に設定されることになる（ステップＳ４）。
【００７３】
次に、各利用者の口座から預金残高の金額データを読み出し、この預金残高に基づいてと抽選番号を形成（ステップＳ５）、形成した抽選番号と当選番号について数字とその配列を比較して当否判定を行う（ステップＳ６）。当否判定において、数字（及び配列）が一致した場合（ステップＳ７）には当選と判定する（ステップＳ８）。
【００７４】
当選した場合には、当選金額を設定する。当選金額は、預金残高に所定の比率を乗じることにより設定する他に、預金残高に応じて当選金額を段階的に設定する。当選金額は、例えば、預金残高が多いほど高くなるように設定してもよい。なお、預金残高に代えて借入残高に基づいて抽選番号を設定することもできる。（ステップＳ９）
【００７５】
預金残高に当選金額を加算し、あるいは借入残高から当選金額を減算して預金残高を算出し（ステップＳ１０）、当選の判定結果及び預金残高を利用者端末あるいは携帯端末に送信する（ステップＳ１１）。また、算出した預金残高により各利用者の口座の預金残高を更新する（ステップＳ１２）。
【００７６】
ステップＳ７に当否判定において、数字（及び配列）が不一致である場合（ステップＳ７）には落選と判定する（ステップＳ１３）。落選した場合には、落選の判定結果及び預金残高を利用者端末あるいは携帯端末に送信する（ステップＳ１４）。
抽選処理が終了した後、その利用者について抽選済みであることを記録する。抽選済みに記録は、例えば、口座データに抽選に関するデータ（例えば、フラグ情報）を付すことで行うことができる（ステップＳ１５）。
【００７７】
上記工程は、抽選条件が満たさている間繰り返される。抽選条件は、例えば、金融機関が設定する抽選期間や、利用者の預金の増額高など任意に設定することができる。抽選期間としては、例えば、例えば週単位、月単位、各期単位など任意の所定期間毎や、金融機関が任意に設定する期間とすることができ、この期間内であることを抽選条件として抽選処理を行う。また、利用者が預金する預金の増額高や積算増額高が設定額を超えたことを抽選条件として抽選処理を行うようにしてもよい（ステップＳ１６）。
抽選が済んだ後、抽選条件を満たさなく場合は、各利用者に設定した抽選済みのデータをクリアし、次の抽選条件が設定されて抽選が行われるまで備える（ステップＳ１７）。
【００７８】
次に、全利用者に対して一つの当選番号を設定する態様について、図１１〜図１８を用いて説明する。この全利用者に対して一つの当選番号を設定する態様において、利用者毎に当否判定を行う態様を図１１〜図１５を用いて説明し、一括して当否判定を行う態様を図１６〜図１８を用いて説明する。また、両態様において、預金通帳やカードを用いて処理端末で行う態様、及び利用者端末で行う態様を示す。
【００７９】
図１１は全利用者に対して一つの当選番号を設定する態様の第１の例であり、利用者毎に当否判定を行う態様において預金通帳を用いて行う抽選処理の例であり、処理端末と管理サーバー及び金融機関ホストシステムとの間のデータの流れを説明する状態図である。なお、ここでは、預金通帳を用いた処理について説明し、カードについては省略する。以下の（  ）中に示す番号は、図１１中の番号と対応している。
【００８０】
金融機関ホストシステム３は、顧客情報、口座情報、振込データ等の各種金融処理で生じたデータを、例えば日単位で管理サーバー１との間でデータ交換を行い（８１）、管理サーバー１はこのデータ交換に基づいてデータベースのデータを更新する（８２）。
【００８１】
管理サーバー１は、所定期間（例えば、週，月、期等の所定期間）を単位として、当選番号の抽選を行い（８３）、抽選で得た当選番号を記録しておく。この当選番号は、全利用者に対して共通する当選番号となる。図１２は、記録される当選番号のデータ例である。例えば、抽選回数が第＊＊１回の抽選では、その抽選期間を２００＊年の１月から３月とし、そのとき抽選により設定された当選番号０２３４、及び当選金額を記録する。また、抽選回数が第＊＊２回の抽選では、その抽選期間を２００＊年の４月から６月とし、そのとき抽選により設定された当選番号１４７２、及び当選金額を記録する。
【００８２】
利用者が、ＡＴＭや記帳機が備える処理端末１０において、預金通帳８（金融カード９）を挿入し（８５）、パスワード等を入力すると（８６）、管理サーバー１はこのパスワードや預金通帳に設定された固有コードを照合する（８７）。照合により口座が確認され、処理端末１０から残高照会要求が出されると（８８）、データベース２に記録される利用者の口座から預金残高を読み出し、抽選番号を形成する。抽選番号の形成は、前記図７と同様に行うことができる。また、口座データは、前記図５に示した例と同様とすることができる（８９）。
【００８３】
管理サーバー１は、この抽選要求を受けて抽選処理を行う。抽選処理は、記録しておいた当選番号を読み出し（９０）、読み出した当選番号と形成した抽選番号とを比較して、利用者の抽選番号が当選番号と一致しているかを照合し（９１）、当否判定を行う（９２）。判定結果を処理端末１０に送信し（９３）、当選している場合には、当選金額を預金残高の加算し、データベースの各口座の預金残高を更新する（９４）。
【００８４】
処理端末１０では、判定結果を受信して表示手段に表示する。当選した場合には、当選の表示と共に、当選金額と更新された預金残高が表示される。また、落選した場合には、落選の表示と共に、現在の預金残高が表示される（９５）。
【００８５】
ＡＴＭ６や記帳機６に預金通帳８が挿入されている場合には、更新された預金残高を預金通帳に記帳する（９６）。なお、ＡＴＭ６や記帳機６に金融カード９が挿入されている場合には、更新された預金残高を表示及び／又はプリントアウトする。
【００８６】
図１３は、全利用者に対して一つの当選番号を設定する態様の第２の例であり、利用者毎に当否判定を行う態様において預金通帳を用いて行う抽選処理の例であり、預金処理により預金残高を変更し、これにより抽選番号を所望の番号とする。図１３は、この例において、処理端末と管理サーバー及び金融機関ホストシステムとの間のデータの流れを説明する状態図である。なお、ここでは、預金通帳を用いた処理について説明し、カードについては省略する。以下の（  ）中に示す番号は、図１３中の番号と対応している。
【００８７】
金融機関ホストシステム３は、顧客情報、口座情報、振込データ等の各種金融処理で生じたデータを、例えば日単位で管理サーバー１との間でデータ交換を行い（１０１）、管理サーバー１はこのデータ交換に基づいてデータベースのデータを更新する（１０２）。  管理サーバー１は、所定期間（例えば、週，月、期等の所定期間）を単位として、当選番号の抽選を行い（１０３）、抽選で得た当選番号を記録しておく。この当選番号は、全利用者に対して共通する当選番号となる。記録される当選番号のデータ例は、図１２に示す例と同様とすることができる（１０４）。
【００８８】
利用者が、ＡＴＭや記帳機が備える処理端末１０において、預金通帳８（金融カード９）を挿入し（１０５）、パスワード等を入力すると（１０６）、管理サーバー１はこのパスワードや預金通帳に設定された固有コードを照合する（１０７）。照合により口座が確認され、処理端末１０から残高照会要求が出されると（１０８）、データベース２に記録される利用者の口座から預金残高を読み出す。
管理サーバー１は、読み出した預金残高のデータを処理端末１０に送信し（１１０）、処理端末１０は送信された預金残高のデータを表示手段に表示する（１１１）。
【００８９】
利用者は、表示された預金残高を参照して、この預金残高に基づいて形成される抽選番号を予想し、予想される抽選番号と異なる抽選番号を望む場合には、望む抽選番号を形成する預金残高となるように預金の操作を行う（１１２）。処理端末１０は、預金処理による預金金額を管理サーバー１に送信する（１１３）。管理サーバー１は、送信された預金金額に基づいて預金処理を行い（１１４）、データベースの口座の預金残高を更新する。このとき、更新された預金残高に基づいて、抽選番号を形成し記録する。抽選番号の形成は、前記図７と同様に行うことができる。また、口座データは、前記図５に示した例と同様とすることができる（１１５）。
【００９０】
管理サーバー１は、更新した預金残高のデータ、及び抽選番号を処理端末１０に送信する。処理端末１０は、送信された預金残高及び抽選番号のデータに基づいて、更新された預金残高と抽選番号を表示手段に表示する（１１７）。
利用者は、表示手段に表示された預金残高及び抽選番号を参照し、抽選要求を管理サーバー１に送信する（１１８）。
【００９１】
管理サーバー１は、この抽選要求を受けて抽選処理を行う。抽選処理は、記録しておいた当選番号と抽選番号を読み出し（１１９）、読み出した当選番号と抽選番号とを比較して、利用者の抽選番号が当選番号と一致しているかを照合し（１２０）、当否判定を行う（１２１）。判定結果を処理端末１０に送信し（１２２）、当選している場合には、当選金額を預金残高の加算し、データベースの各口座の預金残高を更新する（１２３）。
【００９２】
処理端末１０では、判定結果を受信して表示手段に表示する。当選した場合には、当選の表示と共に、当選金額と更新された預金残高が表示される。また、落選した場合には、落選の表示と共に、現在の預金残高が表示される（１２４）。
ＡＴＭ６や記帳機６に預金通帳８が挿入されている場合には、更新された預金残高を預金通帳に記帳する（１２５）。なお、ＡＴＭ６や記帳機６に金融カード９が挿入されている場合には、更新された預金残高を表示及び／又はプリントアウトする。
【００９３】
次に、図１４を用いて、全利用者に対して一つの当選番号を設定する態様の第３の例について説明する。第３の例は利用者端末側において預金残高及び抽選結果の確認を行う例である。図１４は、利用者端末と金融機関サービスサーバー、管理サーバー及び金融機関ホストシステムとの間のデータの流れを説明する状態図である。
以下の（  ）中に示す番号は、図１４中の番号と対応している。
【００９４】
金融機関ホストシステム３は、顧客情報、口座情報、振込データ等の各種金融処理で生じたデータを、例えば日単位で管理サーバー１との間でデータ交換を行い（１３１）、管理サーバー１はこのデータ交換に基づいてデータベースのデータを更新する（１３２）。
【００９５】
管理サーバー１は、所定期間（例えば、週，月、期等の所定期間）を単位として、当選番号の抽選を行い（１３３）、抽選で得た当選番号を記録しておく。この当選番号は、全利用者に対して共通する当選番号となる。記録される当選番号のデータ例は、図１２に示す例と同様とすることができる（１３４）。
【００９６】
利用者が利用者端末１１（あるいは携帯端末１２）から金融機関サービスサーバー４のホームページに接続すると（１３５）、金融機関サービスサーバー４は利用者端末１１にホームページの画面を送信し（１３６）、画面上にホームページの画面を表示する（１３７）。パスワード等を入力すると（１３８）、金融機関サービスサーバー４は、このパスワードを管理サーバー１に転送する（１３９）。
【００９７】
管理サーバー１はこのパスワードや口座に設定された固有コードを照合する（１４０）。照合により口座が確認されると、金融機関サービスサーバー４は、この照合に基づいて利用者端末１１（あるいは携帯端末１２）に各種サービスのメニューを表示させる（１４１）。
【００９８】
利用者が、利用者端末１１（あるいは携帯端末１２）から残高照会を選択し要求すると（１４２）、金融機関サービスサーバー４はこの要求を管理サーバー１に転送する（１４３）。管理サーバー４はこの残高照会要求を受けて、データベース２に記録される利用者の口座から預金残高を読み出し、読み出した預金残高に基づいて抽選番号を形成し記録する（１４４）。管理サーバー１は、預金残高及び形成した抽選番号を金融機関サービスサーバー４に送信し（１４５）、金融機関サービスサーバー４は利用者端末１１や携帯端末１２に転送する（１４６）。
【００９９】
利用者端末１１や携帯端末１２は、転送された預金残高及び抽選番号を表示手段に表示する（１４７）。利用者は、表示された預金残高及び抽選番号を参照し、抽選要求を送信する。
なお、抽選番号を変更したい場合には、処理端末１０等において預金操作を行ったり、利用者端末１１や携帯端末１２によるネットバンキングやモバイルバンキングにより預金操作を行うことにより、望む抽選番号が形成されるように預金残高を変更する（１４８）。
【０１００】
利用者は、抽選を行う場合には抽選要求を管理サーバー１に送る（１４９）。金融機関サービスサーバー４は、この抽選要求を管理サーバー１に転送する（１４９）。管理サーバー１は、記録しておいた当選番号と抽選番号を読み出し（１５０）、読み出した当選番号と抽選番号とを比較して、利用者の抽選番号が当選番号と一致しているかを照合し（１５１）、当否判定を行う（１５２）。管理サーバー１は、判定結果及び預金残高を金融機関サービスサーバー４を介して利用者端末１１（携帯端末１２）に送信し（１５３，１５５）、当選している場合には、当選金額を預金残高の加算し、データベースの各口座の預金残高を更新する（１５４）。
【０１０１】
利用者端末１１（携帯端末１２）では、判定結果を受信して表示手段に表示する（１５６）。当選した場合には、当選の表示と共に、当選金額と更新された預金残高が表示される。また、落選した場合には、落選の表示と共に、現在の預金残高が表示される（１５７）。
【０１０２】
上記した第３の例において、管理サーバーが行う処理について図１５のフローチャートを用いて説明する。なお、このフローチャートの処理は、各利用者毎の処理を示している。また、（ステップＳ）で示す番号は、フローチャート中に示す番号と対応している。
【０１０３】
抽選を実施する所定期間（例えば、週単位、月単位、期単位等で設定される抽選期間）、預金残高、預金額などの抽選を行う上で設定した抽選条件が満たされている場合には（ステップＳ２１）、前回の抽選期間で設定された各利用者の抽選済みのデータをクリアする。抽選済みのデータは、各利用者の口座データに付与することができ、所定の抽選期間内のおいて重複した抽選を避けるために、抽選を実行した場合には、抽選済みであることを例えばフラグ等のデータで記録するものである。前回の抽選期間で抽選済みのデータが設定されていても、次の抽選期間においてこのデータをクリアすることで抽選を可能とする。なお、前回の抽選期間において抽選を行わなかった利用者の口座についても、全利用者の抽選済みのデータを一律にクリアし、全利用者が抽選できるように設定する（ステップＳ２２）。
次に、当選番号の抽選を行って（ステップＳ２３）、当選番号を記録する。この当選番号は、全利用者に共通の当選番号となる（ステップＳ２４）。
【０１０４】
次に、各利用者について、抽選済みのデータを確認することにより、その利用者が既に抽選を行ったか否かを判定する。既に抽選を行っている場合には、この抽選期間において再度の抽選を不許可とする。なお、一抽選期間において複数の抽選を許容する場合には、抽選済みのデータに回数データを付与し、抽選回数を計数し、計数値が許容回数内である場合には、再度の抽選を行う（ステップＳ２５）。
【０１０５】
利用者が、未抽選あるいは許容回数内の抽選回数である場合には、抽選要求を待って（ステップＳ２６）、口座から預金残高のデータを読み出し、このデータを用いて抽選番号を形成し記録する（ステップＳ２７）。記録しておいた当選番号を読み出し、抽選番号と抽選番号とを比較して照合し当否判定を行う（ステップＳ２８）。
【０１０６】
当否判定において、数字（及び配列）が一致した場合（ステップＳ２９）には当選と判定する（ステップＳ３０）。
当選した場合には、当選金額を設定する。当選金額は、預金残高に所定の比率を乗じることにより設定する他に、預金残高に応じて当選金額を段階的に設定する。当選金額は、例えば、預金残高が多いほど高くなるように設定してもよい。なお、預金残高に代えて借入残高に基づいて抽選番号を設定することもできる。（ステップＳ３１）
【０１０７】
預金残高に当選金額を加算し、あるいは借入残高から当選金額を減算して預金残高を算出し（ステップＳ３２）、当選の判定結果及び預金残高を利用者端末あるいは携帯端末に送信する（ステップＳ３３）。また、算出した預金残高により各利用者の口座の預金残高を更新する（ステップＳ３４）。
【０１０８】
ステップＳ２９に当否判定において、数字（及び配列）が不一致である場合（ステップＳ２９）には落選と判定する（ステップＳ３５）。落選した場合には、落選の判定結果及び預金残高を利用者端末あるいは携帯端末に送信する（ステップＳ３６）。
抽選処理が終了した後、その利用者について抽選済みであることを記録する。抽選済みに記録は、例えば、口座データに抽選に関するデータ（例えば、フラグ情報）を付すことで行うことができる（ステップＳ３７）。
【０１０９】
次に、図１６を用いて、全利用者に対して一つの当選番号を設定する態様の第４の例について説明する。第４の例は予め全利用者の当否を判定しておき、利用者は、この当否結果を処理端末や利用者端末や携帯端末などにより単に確認する例である。図１６は、端末、管理サーバー及び金融機関ホストシステムとの間のデータの流れを説明する状態図である。
以下の（  ）中に示す番号は、図１６中の番号と対応している。
【０１１０】
金融機関ホストシステム３は、顧客情報、口座情報、振込データ等の各種金融処理で生じたデータを、例えば日単位で管理サーバー１との間でデータ交換を行い（１６１）、管理サーバー１はこのデータ交換に基づいてデータベースのデータを更新する（１６２）。
【０１１１】
管理サーバー１は、抽選により当選番号を求め（１６３）、求めた当選番号を記録する（１６４）。次に、各利用者の口座から預金残高のデータを読み出し、読み出した預金残高のデータに基づいて各利用者毎の抽選番号を形成し記録する（１６５）。
【０１１２】
記録しておいた当選番号及び抽選番号を読み出して比較し照合して（１６６）、当否を判定する（１６７）。当否判定の結果を各利用者毎に記録すると共に（１６８）、当選した場合には当選金額を算出して預金残高に加算し更新しておく。これにより、全利用者について予め抽選が行われ、当否結果及び更新された預金残高が記録されることになる（１６９）。
【０１１３】
当否結果及び更新された預金残高は、この後利用者から管理サーバーに対してアクセスがされたときに知らされることになる。例えば、ＡＴＭ６や記帳機７において預金通帳が挿入され（１７０）、処理端末１０からパスワードが入力されると（１７１）、管理サーバー１は、このパスワードや口座番号等を照合して利用者の確認を行う（１７２）。確認の後、処理端末から残高照会の要求等が出されると（１７３）、記録されている当否結果及び預金残高を読み出し（１７４，１７５）、処理端末に送信する（１７６）。
処理端末は、送られた当否結果及び預金残高を表示手段に表示する（１７７）。また、預金通帳には更新された預金残高は印字される（１７８）。
【０１１４】
図１７は、当否結果及び預金残高を記録するデータ例である。このデータ例では、前記した図５と同様に、顧客コード、電話番号（メールアドレス）、預金残高、及び借入残高に加えて、預金残高による当選番号と借入残高による当選番号、その当選番号に対する当否結果及び当選金額が記録される。なお、預金残高は、当選金額により更新した残高を記録することができる。
【０１１５】
上記した例において、管理サーバーが行う処理について図１８のフローチャートを用いて説明する。なお、このフローチャートの処理は、各利用者毎の処理を示している。また、（ステップＳ）で示す番号は、フローチャート中に示す番号と対応している。
【０１１６】
抽選を実施する所定期間、預金残高、預金額などの抽選を行う上で設定した抽選条件が満たされている場合には（ステップＳ４１）、当選番号の抽選を行って（ステップＳ４２）、当選番号を記録する。この当選番号は、全利用者に共通の当選番号となる（ステップＳ４３）。
【０１１７】
次に、各利用者について、口座から預金残高のデータを読み出し、このデータを用いて抽選番号を形成し記録する（ステップＳ４４）。記録しておいた当選番号を読み出し、抽選番号と抽選番号とを比較して照合し当否判定を行う（ステップＳ４５）。
【０１１８】
当否判定において、数字（及び配列）が一致した場合（ステップＳ４６）には当選と判定する（ステップＳ４７）。
当選した場合には、当選金額を設定する。当選金額は、預金残高に所定の比率を乗じることにより設定する他に、預金残高に応じて当選金額を段階的に設定する。当選金額は、例えば、預金残高が多いほど高くなるように設定してもよい。なお、預金残高に代えて借入残高に基づいて抽選番号を設定することもできる。（ステップＳ４８）
【０１１９】
預金残高に当選金額を加算し、あるいは借入残高から当選金額を減算して預金残高を算出し（ステップＳ４９）、算出した預金残高により各利用者の口座の預金残高を更新する（ステップＳ５０）。
ステップＳ４６に当否判定において、数字（及び配列）が不一致である場合（ステップＳ４６）には落選と判定する（ステップＳ５１）。落選した場合には、落選の判定結果を記録する（ステップＳ５２）。
上記ステップＳ４４〜ステップＳ５２の工程を全利用者について行うことで全利用者の抽選を行うことができる。
【０１２０】
本発明の態様によれば、各利用者の預金残高の金額に基づいて抽選番号を形成することができるため、抽選に対する親近感を高まり、抽選結果に対する期待感を高めることができる。
【０１２１】
本発明の態様によれば、預金残高を変えることにより、各利用者に定められる抽選番号を所望の番号に設定することができる。
【０１２２】
本発明の態様によれば、金融機関サービスサーバーに専用線で接続されたＡＴＭや記帳機において抽選操作を行う他、ネットワークを介して携帯端末やモバイル機器、あるいはパーソナルコンピュータにより抽選操作を行うことができる。
【０１２３】
【発明の効果】本発明の抽選方法、口座管理方法、口座管理システムによれば、抽選に対する期待度を高めることができ、金融機関の利用を促進させることができる。
【図面の簡単な説明】
【図１】本発明の抽選方法、口座管理方法の概略を説明するための図である。
【図２】本発明の抽選方法、口座管理方法の概略を説明するための図である。
【図３】本発明の口座管理システムを説明するための概略ブロック図である。
【図４】利用者毎に当選番号を設定し、利用者毎に抽選を行う態様の第１例を説明するための状態図である。
【図５】データベースに記録される口座データの一例である。
【図６】表示画面の表示例である。
【図７】預金残高を用いた抽選番号の形成処理及び当否判定について説明するための図である。
【図８】利用者毎に当選番号を設定し、利用者毎に抽選を行う態様の第２例を説明するための状態図である。
【図９】利用者毎に当選番号を設定し、利用者毎に抽選を行う態様の第３例を説明するための状態図である。
【図１０】管理サーバーが行う利用者毎に当選番号を設定し、利用者毎に抽選を行う第３例の処理を説明するためのフローチャートである。
【図１１】全利用者に対して一つの当選番号を設定する態様の第１例を説明するための状態図である。
【図１２】記録される当選番号のデータ例である。
【図１３】全利用者に対して一つの当選番号を設定する態様の第２例を説明するための状態図である。
【図１４】全利用者に対して一つの当選番号を設定する態様の第３例を説明するための状態図である。
【図１５】全利用者に対して一つの当選番号を設定する態様の第３例の処理を説明するためのフローチャートである。
【図１６】全利用者に対して一つの当選番号を設定する態様の第４の例を説明するための状態図である。
【図１７】当否結果及び預金残高を記録するデータ例である。
【図１８】全利用者に対して一つの当選番号を設定する態様の第４例の処理を説明するためのフローチャートである。
【符号の説明】
１  管理サーバー
２  データベース
３  金融機関ホストシステム
４  金融機関サービスサーバー
５  ネットワーク
６  ＡＴＭ
７  記帳機
８  預金通帳
９  金融機関カード
１０  処理端末
１１  利用者端末
１２  携帯端末
【図１】
2004220467.tif 000003
【図２】
2004220467.tif 000004
【図３】
2004220467.tif 000005
【図４】
2004220467.tif 000006
【図５】
2004220467.tif 000007
【図６】
2004220467.tif 000008
【図７】
2004220467.tif 000009
【図８】
2004220467.tif 000010
【図９】
2004220467.tif 000011
【図１０】
2004220467.tif 000012
【図１１】
2004220467.tif 000013
【図１２】
2004220467.tif 000014
【図１３】
2004220467.tif 000015
【図１４】
2004220467.tif 000016
【図１５】
2004220467.tif 000017
【図１６】
2004220467.tif 000018
【図１７】
2004220467.tif 000019
【図１８】
2004220467.tif 000020